(57)【特許請求の範囲】
【請求項１】
複数の端末装置を収容するとともに、複数の基本インタフェース高速ディジタル専用線あるいは複数の基本インタフェース回線交換網を介し、それぞれの基本インタフェース（ＢＲＩ）回線を束ねて対向通信を行うバルク通信端末アダプタにおいて、
複数の基本インタフェース（ＢＲＩ）回線間の遅延補正を行う遅延補正手段と、
トレーニングデータを用いて、前記遅延補正が正常におこなわれたかを確認する遅延補正確認手段と、を備え、
前記トレーニングデータ内に、収容した端末装置と対向装置に収容された端末装置間の通信速度情報を搭載したことを特徴とするバルク通信端末アダプタ。
【請求項２】
複数の端末装置を収容するとともに、複数の基本インタフェース高速ディジタル専用線あるいは複数の基本インタフェース回線交換網を介し、それぞれの基本インタフェース（ＢＲＩ）回線を束ねて対向通信を行うバルク通信端末アダプタにおいて、
前記複数の端末装置から受信したデータを合成し、その合成したデータを、束ねた基本インタフェース（ＢＲＩ）回線分に分割して、当該基本インタフェース（ＢＲＩ）回線に振り分けて送信するバルクデータ送信手段と、
前記束ねた基本インタフェース（ＢＲＩ）回線より受信したデータを合成し、その合成したデータを、収容した複数の端末装置に分割して送信するデータ送信手段と、
複数の基本インタフェース（ＢＲＩ）回線間の遅延補正を行う遅延補正手段と、
トレーニングデータを用いて、前記遅延補正が正常におこなわれたかを確認する遅延補正確認手段と、を備え、
前記トレーニングデータ内に、収容した端末装置と対抗装置に収容された端末装置間の通信速度情報を搭載し、当該通信速度情報に従い、前記データ送信手段と前記端末装置間で通信を行わせることを特徴とするバルク通信端末アダプタ。
【請求項３】
前記データ送信手段と前記端末装置間の通信速度の割り付けに関する複数のパターンデータを備えたことを特徴とする請求項２に記載のバルク通信端末アダプタ。
【請求項４】
複数の基本インタフェース高速ディジタル専用線あるいは複数の基本インタフェース回線交換網を収容し、それぞれの回線を束ねて高速の通信を行うバルク通信端末アダプタを対向させたバルク通信方法において、
高速の通信を回線速度に依存しない任意の複数の通信速度に分割する通信速度の割り付けの設定または変更を一方のバルク通信端末アダプタで実行し、通信速度の割り付けである構成情報をトレーニングデータに搭載して対向するバルク通信端末アダプタに通知し、通知を受けたバルク通信端末アダプタが構成情報に従って通信速度を設定または変更することを特徴とするバルク通信方法。
【発明の詳細な説明】
【０００１】
【発明の属する技術分野】
本発明は、基本インタフェースディジタル回線を複数回線収容し、それぞれの回線を束ねてより高速の通信を行うバルク通信端末アダプタに関する。
【０００２】
【従来の技術】
従来、複数の基本インタフェース回線（ＢＲＩ回線）を収容し、それぞれの回線を束ねてより高速通信を行う、バルク通信端末アダプタが知られている。このバルク通信端末アダプタにおいて、基本インタフェース回線側は複数回線を収容している。もう一方の高速側データ端末インタフェースとしては一次群インタフェース回線、あるいはＶ．３５インタフェース、Ｘ．２１インタフェースを収容し、どれか一つを選択して使用する。
【０００３】
また、単一の基本インタフェース回線を収容し、その回線内を流れるデータを複数の通信に分割し、複数のデータ端末を接続することができる通信端末アダプタがある。この場合、一方の通信端末アダプタとデータ端末間の通信速度の設定を対向側の通信端末アダプタとデータ端末間の通信速度の設定と合わせる必要が有る。しかし、各通信端末アダプタにおける通信速度の割り付けの設定はそれぞれ別個に行う必要があった。
【０００４】
従来の単一の基本インタフェース回線を複数ポートに分割して通信する通信端末アダプタにおいては、１回線の通信を分割して複数のデータ通信に使用していることから低速な通信しか収容できなかった。また、バルク通信を任意の通信速度の複数のデータ通信に使用する場合には、データを正しく分割する方法が無かった。
【０００５】
さらに、複数ポートに分割して通信する場合、分割する通信速度を対向するデータ端末同士で一致させなければ正常に通信することができない。また、その設定は通信端末アダプタ毎に行う必要があり、設定を誤った場合には通信を行うことができない。そのため、通信端末アダプタにおいて、通信速度の、設定を変更する場合には対向側の通信端末アダプタと同期を取って行う必要があった。したがって、一方の通信端末アダプタが無人となる場所に設置してある場合には設定を変更するたびに人が出向かなければならなかった。
【０００６】
【発明が解決しようとする課題】
本発明は、上記課題を解決することを目的とし、複数の基本インタフェース回線を束ねて高速通信を行うことができるバルク通信端末アダプタにおいて、複数のデータ端末を任意の通信速度で接続できるようにすること、および、この場合に、対向するバルク通信端末アダプタにおける通信速度の割り付けの設定または変更を、一方のバルク通信端末アダプタから行えるようにすることを目的とする。
【０００７】
また、本発明は、複数の基本インタフェース回線を束ねたバルク通信において、一回線を分割することによっては実現できない高速の通信を、複数の通信単位で実現することを目的とする。
【０００８】
【課題を解決するための手段】
上記課題を解決するために、本発明は、従来のバルク通信において、バルク通信端末アダプタで行っている、複数の回線を束ねるための各回線間の遅延補正処理で実行する遅延補正が正常にできたことを確認するためのトレーニングデータの送受信処理で使用するトレーニングデータを、バルク通信端末アダプタと複数のデータ端末間の通信速度の設定値により変化させて、通信速度の設定値を相手側のバルク通信端末アダプタに通知する機能を持たせた。すなわち、一方のバルク通信端末アダプタが複数のデータ端末との間の通信速度を設定または変更すると、設定変更したバルク通信端末アダプタが設定内容を反映させたトレーニングデータを送信し、これを受けた対向側バルク端末アダプタが、トレーニングデータから通信速度設定内容を認識し、複数のデータ端末との間の通信速度の設定を変更する。これにより、一方のバルク通信端末アダプタの通信速度を設定または変更した場合、もう一方のバルク通信端末アダプタに通信速度の設定または変更を知らせて、複数のデータ端末との間の通信速度を対向する側に合わせて設定または変更させることができる。
【０００９】
本発明は、一方のバルク通信端末アダプタのデータ端末への分割通信速度設定が変更された場合には、バルク通信を行うための同期シーケンスを起動し、その手順により速度設定が変更されていない側のバルク通信端末アダプタに変更後の通信速度設定を通知し、変更された分割通信速度で通信できるようにする。この方法を用いることにより、片側のバルク通信端末アダプタの通信速度を変更することにより、対向側のバルク通信端末アダプタの速度設定も変更できるため、速度設定不一致で通信できなくなることが無くなり、また、片側のバルク通信端末アダプタが無人の場所に設置されている場合においても設定変更のために人員を派遣する必要が無くなり、保守が容易になる。
【００１０】
また、本発明は、バルク通信を複数の通信に分割するために、収容するデータ端末の中で順序を定義し、その一番最初のデータ部分に１ビットの“０”をいれ、その他は“１”を入れた先頭確認データを送信する。その先頭確認データを受信した対向するバルク通信端末アダプタは“０”の位置を確認し、その位置から通信速度の割り付けに従ってデータ分割順序および位置を決定する処理を行う。これによりデータを分割する場合に基準となる位置、及び速度が決定でき、複数の通信を任意の通信速度で収容することができる。
【００１１】
（作用）本発明を実施することにより、複数の基本インタフェース回線を束ねたバルク通信を、任意の通信速度の複数の通信単位に分割し、複数のデータ端末を収容することができるようになる。また、一方のバルク通信端末アダプタにおいて通信速度の設定を変更した場合でも、相手側のバルク通信端末アダプタの通信速度を変更することができるようになり、それぞれのバルク通信端末アダプタで同時に設定を変更して設定内容を合わせなければならない等の面倒な管理をなくすことができる。
【００１２】
【発明の実施の形態】
本発明にかかるバルク通信端末アダプタを用いたバルク通信システムの構成を、図１を用いて説明する。このバルク通信システムは、複数のデータ端末３−１ａ、３−１ｂを収容したバルク通信端末アダプタ１−１と、複数のデータ端末３−２ａ、３−２ｂを収容したバルク通信端末アダプタ１−２を、複数の基本インタフェース高速ディジタル専用線あるいは基本インタフェース回線交換網（ＩＳＤＮ網）５を介して対向させて接続して構成される。本明細書においては、機能や要素の説明において、発信側に‐１の枝番号を着信側に‐２の枝番号を付している。発信側または着信側を区別する必要がないときには、枝番号を付していない。同じ機能や要素が複数ある場合には、ａ，ｂ，ｃなどの符号を追加している。
【００１３】
発信側バルク通信端末アダプタ１−１は、複数のデータ端末３−１ａ、３−１ｂを収容するとともに複数の基本インタフェース回線（以下、ＢＲＩ回線と記す）５１−１ａ，５１‐１ｂ，５１‐１ｃを収容し、例えば複数の基本インタフェース高速ディジタル専用線あるいは複数の基本インタフェース回線交換網（ＩＳＤＮ網）５を通して、ＢＲＩ回線５１‐２ａ，５１‐２ｂ，５１‐２ｃおよび複数のデータ端末３−２ａ、３−２ｂを収容を収容しているバルク通信端末アダプタ１‐２と接続されている。
【００１４】
つまり、発信側バルク通信端末アダプタ１−１は、データ端末３−１ａ，３−１ｂからのデータを合成した後、合成したデータを回線数分に分割してＢＲＩ回線５１−１ａ，５１‐１ｂ，５１‐１ｃに振り分けて、対向する着信側バルク通信端末アダプタ１‐２に送出し、着信側バルク通信端末アダプタ１‐２は、複数のＢＲＩ回線５１‐２ａ，５１‐２ｂ，５１‐２ｃから受けたデータを合成した後、データ端末３−２ａ，３−２ｂへのデータに分割し、データ端末３−２ａ，３−２ｂへ送出する。また、データ端末３−２ａ，３−２ｂからのデータも同様にデータ端末３‐１ａ，３‐１ｂへ送られる。このとき、データ端末３‐１ａからのデータはデータ端末３−２ａに送られ、データ端末３−２ａからのデータはデータ端末３‐１ａに送られる。同様にしてデータ端末３−１ｂからのデータはデータ端末３−２ｂに送られ、データ端末３−２ｂからのデータはデータ端末３−１ａに送られる。
【００１５】
この場合、データ端末３‐１ａと発信側バルク通信端末アダプタ１−１間の通信（通信Ａ）の通信速度（例えば４８ｋｂｐｓ）と、データ端末３−２ａと着信側バルク通信端末アダプタ１‐２間の通信（通信Ａ）の通信速度（例えば４８ｋｂｐｓ）は同じでなければならない。同様にデータ端末３−１ｂと発信側バルク通信端末アダプタ１−１間の通信（通信Ｂ）の通信速度（例えば３３６ｋｂｐｓ）と、データ端末３−２ｂと着信側データバルク通信端末アダプタ１‐２間の通信（通信Ｂ）の通信速度（例えば３３６ｋｂｐｓ）は同じでなければならない。
【００１６】
このとき、データ端末３ａ，ｂ…とバルク通信端末アダプタ１との通信速度の和は、バルク通信端末アダプタ１が収容しているＢＲＩ回線５１ａ，ｂ，…の速度の和と同じであるか小さい必要がある。しかし、一つのバルク通信端末アダプタ１に収容している複数のデータ端末３ａ，ｂ，…の通信速度はそれぞれ別であっても良く、ＢＲＩ回線の速度である６４ｋｂｐｓあるいは１２８ｋｂｐｓの倍数である必要もない。
【００１７】
図２を用いて、本発明にかかるバルク通信端末アダプタ１のハードウェア構成を説明する。バルク通信端末アダプタ１は、発信側も着信側も同様な構成を有している。バルク通信端末アダプタ１は、複数の端末インタフェース部１１ａ，１１ｂと、データ合成・分割部１２と、バルク制御部１３と、回線制御部１４ａ、１４ｂ、１４ｃと、スクランブル送受信機１５と、制御部１６と、パターンメモリ１７と、スピード設定手段１８と、制御バス１９を備えて構成されている。
【００１８】
端末インタフェース部１１ａ、１１ｂは、それぞれバルク通信端末アダプタ１とデータ端末３ａ，３ｂとを接続する機能を有している。
【００１９】
データ合成・分割部１２は、複数のデータ端末３ａ，３ｂからのデータを、合成してバルク通信を行う速度に変換し、バルク制御部１３へ渡す機能、バルク制御部１３から受けたデータを、データ端末３ａ，３ｂへのデータへそれぞれの通信速度に基づいて分割する機能を有している。
【００２０】
バルク制御部１３は、バルク通信を行う場合に各回線間の遅延量を補正する機能を有している。また、バルク制御部１３は、各回線間の遅延補正を行ったときに正常に遅延補正ができたかどうかを確認するトレーニングデータを送受信する機能を有し、そのトレーニングデータの内容を各データ端末との通信速度の割り付けすなわち通信速度設定により変化させることができ、受信したトレーニングの内容により通信速度設定を割り出す機能を有する。
【００２１】
回線制御部１４ａ、回線制御部１４ｂ、回線制御部１４ｃは、バルク通信端末アダプタ１のバルク制御部１３を、それぞれＩＳＤＮ網５のＢＲＩ回線５１ａ，５１ｂ，５１ｃに接続する機能を有している。
【００２２】
スクランブル送受信機１５は、接続されているＩＳＤＮ網５へ“１”あるいは“０”のデータをスクランブルして各回線に送信し、かつスクランブルされたデータを“１”あるいは“０”データとして受信する機能を有している。
【００２３】
制御部１６は、各機能部を制御する機能を有し、制御バス１９により各機能部と接続されている。
【００２４】
パターンメモリ１７は、バルク通信端末アダプタ１と収容された各データ端末３ａ、３ｂ、…との間の通信速度の割り付けに関する情報である構成情報からなる構成情報テーブルを格納している。
【００２５】
構成情報テーブルの例を、図３を用いて説明する。構成情報テーブルは、入出力ポート毎に設定される通信速度のパターンを一覧表にして形成される。例えば、パターンＡでは、第１の入出力ポートの通信速度が１６ｋｂｐｓに、第２の入出力ポートの通信速度が６４ｋｂｐｓに、第３の入出力ポートの通信速度が１２８ｋｂｐｓに設定される。パターンＢでは、第１の入出力ポートの通信速度が１６ｋｂｐｓに、第２の入出力ポートの通信速度が６４ｋｂｐｓに、第３の入出力ポートの通信速度が２５６ｋｂｐｓに設定される。パターンＣでは、第１の入出力ポートの通信速度が３２ｋｂｐｓに、第２の入出力ポートの通信速度が３２４ｋｂｐｓに、第３の入出力ポートの通信速度が１２８ｋｂｐｓに設定される。これらの通信速度は、ＢＲＩ回線の通信速度に関係なく、ＢＲＩ回線の通信速度の和以内で例えば８ｋｂｐｓの単位で任意に設定することができる。
【００２６】
スピード設定手段１８は、パターンメモリ１７に構成情報を設定する手段であり、場合によっては、データ端末３によって置換えることができる。
【００２７】
図４に示す機能ブロック図を用いて、本発明にかかるバルク通信端末アダプタ１の機能構成を説明する。バルク通信端末アダプタ１は、複数のデータ端末３とのインタフェースを取る端末インタフェース機能Ｆ１１と、複数のデータ端末３からのデータをＢＲＩ回線の通信速度に合成し、ＢＲＩ回線からのデータを複数のデータ端末３の通信速度に分割するデータ合成・分割機能Ｆ１２と、バルク通信制御機能Ｆ１３と、ＢＲＩ回線とのインタフェースを取る回線インタフェース機能Ｆ１４と、バルク通信端末アダプタ全体を制御する制御機能Ｆ１６と、構成情報を記憶する構成情報記憶機能Ｆ１７と、構成情報を設定する構成情報設定機能Ｆ１８とを有している。
【００２８】
データ合成・分割機能Ｆ１２は、データ端末３からのデータを構成情報に基づいて合成してバルク通信を行う速度に変換するデータ合成機能Ｆ１２１と、バルク制御機能Ｆ１３から受けたデータを構成情報に基づいて各データ端末３へのデータに分割するデータ分割機能Ｆ１２２とを有している。
【００２９】
バルク制御機能Ｆ１３は、バルク通信を制御するバルク通信制御機能Ｆ１３１と、バルク設定時に対向するバルク通信端末アダプタとの間でトレーニングデータを送受信するトレーニングデータ送受信機能Ｆ１３２と、バルク設定時に対向するバルク通信端末アダプタから受信したトレーニングデータを認識するトレーニングデータ認識機能Ｆ１３３とを有している。
【００３０】
制御機能Ｆ１６は、通常のバルク通信端末アダプタ制御機能に加えて、バルク設定時に送出するトレーニングデータに構成情報を搭載する構成情報搭載機能Ｆ１６１と、バルク設定時に受信したトレーニングデータから構成情報を認識する構成情報認識機能Ｆ１６２とを有している。
【００３１】
次に、図５に示す動作シーケンス図を用いて、本発明のバルク通信端末アダプ１タにおける動作を説明する。図５は、本発明を実施したバルク通信端末アダプタ１の動作シーケンスである。
【００３２】
この例では、データ端末３‐１ａがバルク通信端末アダプタ１‐１の端末インタフェース部１１-１ａを介して回線制御部１４‐１ａに、データ端末３‐１ｂがバルク通信端末アダプタ１‐１の端末インタフェース部１１-１ｂを介して回線制御部１４‐１ｂ、１４‐１ｃに接続され、データ端末３‐２ａがバルク通信端末アダプタ１‐２の端末インタフェース部１１-２ａを介して回線制御部１４‐２ａに、データ端末３‐２ｂがバルク通信端末アダプタ１‐２の端末インタフェース部１１-２ｂを介して回線制御部１４‐２ｂ、１４‐２に接続されている。
【００３３】
さらに、この例では、バルク通信端末アダプタ１の第１の回線制御部１４−１ａがＩＳＤＮ網５のＢＲＩ回線５１−１ａ、５１−２ａを介して対向するバルク通信端末アダプタ１‐２の第１の回線制御部１４−２ａに、第２の回線制御部１４−１ｂがＩＳＤＮ網５のＢＲＩ回線５１−１ｂ、５１−２ｂを介して対向するバルク通信端末アダプタ１‐２の第２の回線制御部１４−２ｂに、第３の回線制御部１４−１ｃがＩＳＤＮ網５のＢＲＩ回線５１−１ｃ、５１−２ｃを介して対向するバルク通信端末アダプタ１‐２の第３の回線制御部１４−２ｃにそれぞれ接続されている。
【００３４】
通信を開始する場合、発信側バルク通信端末アダプタ１−１は、スクランブル送受信機１５‐１から使用している全ＢＲＩ回線５１ａ、５１ｂ、５１ｃを介して、対向する着信側バルク通信端末アダプタ１‐２に対してスクランブルされた“０”データを送出して回線遅延時間の補正処理の実施を要求する（Ｓ１）。
【００３５】
着信側バルク通信端末アダプタ１‐２のスクランブル送受信器１５‐２は、スクランブルされた“０”データを受信すると、その受信送達の意味を制御部１６‐２に伝え、遅延補正シーケンスが受け付けられる状態にあることを通知するために、全ＢＲＩ回線５１ａ、５１ｂ、５１ｃを介して、発信側バルク通信端末アダプタ１‐１に対してスクランブルされた“１”データを送信する（Ｓ２）。
【００３６】
発信側バルク通信端末アダプタ１−１のスクランブル送受信機１５−１は、全ＢＲＩ回線５１ａ、５１ｂ、５１ｃからスクランブルされた“１”データを受信すると、その旨を制御部１６‐１へ通知して、制御部１６‐１は、遅延補正シーケンスを起動する。ここで既知のバルク同期シーケンスを実行して遅延補正シーケンスを実行し、各ＢＲＩ回線間の遅延を補正する（Ｓ３）。
【００３７】
遅延補正シーケンスが終了すると、遅延補正が正しく行えるか確認するためのトレーニングデータを発信側バルク通信端末アダプタ１−１から着信側バルク通信端末アダプタ１‐２に対し送出する（Ｓ４）。このトレーニングデータは全てのＢＲＩ回線を使用したバルク通信で送られる。
【００３８】
本発明において、特徴的な点は、前もってバルク通信端末アダプタ１−１とデータ端末３‐１ａ、３‐１ｂ…間の速度設定組み合わせ内容により定義された数種類のデータからなる構成情報が、トレーニングデータに搭載されて送られる点である。すなわち、発信側バルク通信端末アダプタ１−１は、バルク通信端末アダプタ１−１とデータ端末３‐１ａ間に設定された通信速度およびバルク通信端末アダプタ１−１とデータ端末３−１ｂ間に設定された通信速度から、構成情報を選択し、トレーニングデータに搭載して設定通知として着信側バルク通信端末アダプタ１‐２へ送る。
【００３９】
トレーニングデータを受けた着信側バルク通信端末アダプタ１‐２は、トレーニングデータに搭載された構成条件の内容からバルク通信端末アダプタ１‐２とデータ端末３‐２ａ、３−２ｂとの通信速度を読み出して設定を受け付け（Ｓ５）、各データ端末３−２ａ、３−２ｂへの通信速度を設定する（Ｓ６）。
【００４０】
着信側バルク通信端末アダプタ１‐２は、トレーニングデータに設定受付完了情報を搭載して発信側バルク通信装置１‐１へ送信する（Ｓ７）。
【００４１】
受付完了情報を搭載したトレーニングデータを受信した発信側バルク通信端末アダプタ１‐１は、データ端末３‐１ａ、３‐１ｂに対して構成情報に基づいて、通信速度を設定し（Ｓ８）、着信側バルク通信アダプタ１‐２に対して設定受付完了情報を搭載したトレーニングデータを送信して（Ｓ９）、トレーニング処理と通信速度の設定を終了する。
【００４２】
次いで、バルク通信端末アダプタ１‐１、１‐２は互いに、データを分割する場合の通信データの分割位置を明確にするための図６（ａ）に示す先頭確認データを送受信する（Ｓ１０）。先頭データは、使用する全ＢＲＩ回線の全ての通信速度の和毎に搭載されるデータであり、複数のデータ端末からのデータを搭載したときにデータを分離する位置を決定するために用いる。
【００４３】
すなわち、発信側バルク通信端末アダプタ１−１においてデータ端末３‐１ａ，３‐１ｂのデータを合成して送信した場合、着信側バルク通信端末アダプタ１‐２においてデータ端末３−２ａ，３−２ｂにデータを分離する位置を決めるために先頭確認データを送信する。逆方向においても、着信側バルク通信端末アダプタ１‐２において合成したデータを発信側バルク通信端末アダプタ１−１において分離する位置を決めるため宣徳確認データを送信する。
【００４４】
先頭確認データは、発信側バルク通信端末アダプタ１−１においてデータ端末３‐１ａのデータを乗せる最初のビットにのみ“０”データを入れ、その他の位置には“１”を入れて送る。着信側バルク通信端末アダプタ１‐２も同様にデータ端末３‐１ａがデータを乗せる最初のビットにのみ“０”データを入れ、その他の位置には“１”を入れて送る。
【００４５】
先頭確認データを受信したバルク通信端末アダプタ１は、バルク通信に移行した後は、“０”データが入っている位置を基準にデータの分離を行う。以上の処理を終了すると、発信側バルク通信端末アダプタ１−１は、データ端末３‐１ａとデータ端末３‐２ａとの間の通信である通信Ａと、データ端末３−１ｂとデータ端末３‐２ｂとの間の通信である通信Ｂをバルク通信合成して送信し、着信側バルク通信端末アダプタ１−２は、データ端末３‐１ａとデータ端末３‐２ａとの間の通信である通信Ａと、データ端末３−１ｂとデータ端末３‐２ｂとの間の通信である通信Ｂとに分離して通信を行う（Ｓ１１）。
【００４６】
図６は、先頭確認データと実際の通信時のデータとの関係を示す図である。先頭確認データは、１２５μｓで１周期とし、最初のビットのみ“０”データが入ってる。その他の位置には“１”データが入っている。このデータを規定時間繰り返し、相手の確認を待つ。データ合成時には、“０”データが入っている位置から通信Ａのデータを乗せ、その後に通信Ｂのデータを乗せる。データ分離時には“０”データが入っていた位置から通信Ａのデータを取り出し、速度により決定されるビット数を超えると通信Ｂのデータとして取り出しを行う。
【００４７】
このように、本発明を実施することにより、バルク通信端末アダプタがデータ端末との通信速度を変更した場合においても、トレーニングデータに通信速度に対応したデータを搭載することによって、相手側バルク通信端末アダプタへ通信速度設定を通知することができる。このため一方のバルク通信端末アダプタにおける通信速度の設定を、対向するバルク通信端末アダプタの通信速度に反映することができ、対向するバルク通信端末アダプタ側で個別に通信速度を変更設定する必要がなくなるため、対向するバルク通信端末アダプタが無人の場所に設置された場合や、保守員がいない場合においても、バルク通信速度を設定したり変更することができ、通信速度の変更がやり易くなり、管理が容易になった。
【００４８】
また、バルク通信を行った場合においてもバルク通信端末アダプタに複数のデータ端末を接続できるようになり、一回線で複数のデータ端末を接続するバルク通信端末アダプタより高速の通信を複数提供できるようになる。
【００４９】
【発明の効果】
本発明は、上記実施例より明らかなように、データ端末への通信速度設定変更を行う場合、対向側と同期を取る必要がなく、変更したい場合にすぐに相手側の通信速度設定変更も行えるための通信の管理が容易かつ便利になる。
【００５０】
さらに、本発明によれば、一つのバルク通信で複数のデータ端末間同士で任意の通信速度で通信することができる。
【図面の簡単な説明】
【図１】本発明にかかるバルク通信端末アダプタを用いたバルク通信システムの構成を説明するシステム構成図。
【図２】本発明にかかるバルク通信端末アダプタのハードウエア構成を示すブロック図。
【図３】本発明にかかるバルク通信端末アダプタのパターンメモリ１７に設定される構成情報テーブルの構成例を説明する図。
【図４】本発明にかかるバルク通信端末アダプタの機能構成を示すブロック図。
【図５】図２に示すバルク通信端末アダプタの動作状態を説明するシーケンス図。
【図６】本発明で用いる先頭確認データを説明する図。
【符号の説明】
１  バルク通信端末アダプタ
１１  端末インタフェース部
１２  データ合成・分割部
１３  バルク制御部
１４  回線制御部
１５  スクランブル送受信機
１６  制御部
１７  パターンメモリ
１８  スピード設定手段
１９  制御バス
３  データ端末
５  ＩＳＤＮ網
５１  ＢＲＩ回線
Ｆ１１  端末インタフェース機能
Ｆ１２  データ合成・分割機能
Ｆ１２１  データ合成機能
Ｆ１２２  データ分割機能
Ｆ１３  バルク制御機能
Ｆ１３１  バルク通信制御機能
Ｆ１３２  トレーニングデータ送受信機能
Ｆ１３３  トレーニングデータ認識機能
Ｆ１４  回線インタフェース機能
Ｆ１６  制御機能
Ｆ１６１  構成情報搭載機能
Ｆ１６２  構成情報内容認識機能
Ｆ１７  構成情報記憶機能
Ｆ１８  構成情報設定機能
【図１】
0004704625.tif 000002
【図２】
0004704625.tif 000003
【図３】
0004704625.tif 000004
【図４】
0004704625.tif 000005
【図５】
0004704625.tif 000006
【図６】
0004704625.tif 000007